(57)【要約】【課題】  製造が容易で粉体容器に擦り切り性を付与できる粉体容器用の蓋材及びこれを備えた粉体容器を提供する。【解決手段】  容器本体９０の開口部９１の周縁部にヒートシールされて開口部９１を塞ぎ、タブ５１が開口方向へめくり上げられた際に開口部９１を部分的に露出させる粉体容器用の蓋材であって、開口部９１の周縁部にヒートシールされる接着層１５を最下層に有する積層構造体で形成され、かつ、接着層１５から裏ハーフカット１７が、開口方向と交差するように形成されている。【選択図】  図１
2006123971.tif 000002
【特許請求の範囲】
【請求項１】
容器本体の開口の周縁部にヒートシールされて該開口を塞ぎ、前記ヒートシールされている部分の所定の位置が所定の開口方向へめくり上げられた際に前記開口を部分的に露出させる粉体容器用の蓋材であって、
前記開口の周縁部にヒートシールされる接着層を最下層に有する積層構造体で形成され、
かつ、前記接着層から裏ハーフカットが、前記前記開口方向と交差するように形成されていることを特徴とする粉体容器用の蓋材。
【請求項２】
前記裏ハーフカットは、前記開口方向と直交するように形成されていることを特徴とする請求項１記載の蓋材。
【請求項３】
前記積層構造体は、ガスバリア性と遮光性とを備えていることを特徴とする請求項１又は２記載の粉体容器用の蓋材。
【請求項４】
前記裏ハーフカットは、前記積層構造体にガスバリア性を発現させるガスバリア層及び前記積層構造体に遮光性を発現させる遮光層を貫通していないことを特徴とする請求項３記載の蓋材。
【請求項５】
容器本体の開口の周縁部にヒートシールされて該開口を塞ぎ、前記ヒートシールされている部分の所定の位置が所定の開口方向へめくり上げられた際に前記開口を部分的に露出させる粉体容器用の蓋材であって、
前記開口の周縁部にヒートシールされる接着層を最下層に有する積層構造体で形成され、
かつ、前記所定の位置と隣接して、前記接着層から裏ハーフカットが、前記開口方向と略平行に形成されており、
かつ、前記裏ハーフカットと所定の間隔を空けて、表ハーフカットが該裏ハーフカットと略平行に形成されていることを特徴とする粉体容器用の蓋材。
【請求項６】
前記表ハーフカット及び前記裏ハーフカットは、前記所定の位置を含まない方へ凸となる弧状にそれぞれ形成されていることを特徴とする請求項５記載の粉体容器用の蓋材。
【請求項７】
容器本体の開口の周縁部にヒートシールされて該開口を塞ぎ、前記ヒートシールされている部分の所定の位置が所定の開口方向へめくり上げられた際に前記開口を部分的に露出させる粉体容器用の蓋材であって、
前記開口の周縁部にヒートシールされる接着層を最下層に有する積層構造体で形成され、
かつ、前記所定の位置を挟む２箇所から前記周縁部に略沿って表ハーフカットが形成されており、
かつ、前記表ハーフカットの内側の領域には、閉曲線状の裏ハーフカットが少なくとも一つ、前記表ハーフカットと接することなく形成されていることを特徴とする粉体容器用の蓋材。
【請求項８】
前記表ハーフカットは、前記閉曲線が内側に凸となる部分を含まないように形成されていることを特徴とする請求項７記載の粉体容器用の蓋材。
【請求項９】
前記表ハーフカットは、互いにつながって前記開口よりも小さい略閉曲線を呈していることを特徴とする請求項７又は８記載の粉体容器用の蓋材。
【請求項１０】
前記積層構造体は、ガスバリア性と遮光性とを備えていることを特徴とする請求項５から９のいずれか１項記載の粉体容器用の蓋材。
【請求項１１】
容器本体の開口が請求項１から１０のいずれか１項記載の粉体容器用の蓋材でヒートシールされたことを特徴とする粉体容器。
【請求項１２】
オーバキャップとトップシールと容器本体とからなる粉体容器であって、前記トップシールは請求項１から１０のいずれか１項記載の粉体容器用の蓋材であることを特徴とする粉体容器。
【発明の詳細な説明】
【技術分野】
【０００１】
本発明は粉体を収容するための容器用の蓋材に関し、特に、粉体を取り出す際に粉体を擦り切る機能を粉体容器に付与することができる粉体容器用の蓋材及びこれを用いた粉体容器に関する。
【背景技術】
【０００２】
粉体は表面積比が大きいために変質しやすいため、少なくとも流通時には粉体を収容するための容器には、密封性、ガスバリア性、遮光性が要求される。
【０００３】
このような粉体容器は、一回に使用する分量の粉体を収容するために小分けした容器と、それ以上の分量の粉体を収容するための容器とに大別できる。
【０００４】
一回分の使用量を収容するための容器は、耐久性や再密封性が要求されないため、密封性、ガスバリア性及び遮光性を備えた積層構造体で形成した袋が利用されている。
【０００５】
しかし、一回の使用量を個別に粉体容器に収容するのには手間がかかるため、包装コストが高くなってしまう。
【０００６】
このため、特殊な場合を除いては、一回に使用する分量以上の粉体を収容する容器の方が広く用いられている。
【０００７】
このような容器から粉体を取り出す際には、さじ状の部材を用いるのが一般的であるため、容器本体の開口はある程度の大きさが必要である。
【０００８】
このため、一回の使用量以上の粉体を収容するための粉体容器としては、図１７に示すように、容器本体９０の開口部９１を蓋材１００で密封し、蓋材１００の上から樹脂成型品であるオーバキャップ１１０を被せたものが用いられている。
この構造の粉体容器では、未開封時には蓋材１００によって密封性、ガスバリア性、遮光性などが付与されているが、開封後は、オーバキャップ１１０で容器本体９０の開口部９１を塞ぐだけでは、ゴミの混入は防止できるが、密封性を維持することはできない。
【０００９】
一回の使用量以上の粉体を収容するための粉体容器においては、容器から取り出す粉体の量を一定に保つ為に、粉体容器は擦り切り性を持つことが好ましい。
【００１０】
粉体容器に擦り切り性を付与することを目的とした従来技術としては、特許文献１に開示される「缶蓋」、特許文献２に開示される「蓋体」及び特許文献３に開示される「摺り切り片付き蓋及び蓋付き缶」がある。
【特許文献１】特開２００１−１３０５６１号公報
【特許文献２】特開２００３−２９２００１号公報
【特許文献３】特開２００３−２６７４２０号公報
【発明の開示】
【発明が解決しようとする課題】
【００１１】
特許文献１に記載の発明は、蓋材として用いる缶蓋に関するものである。しかし、粉体容器に擦り切り機能を付与するための細工を缶蓋に加えるのは、困難である上に手間がかかる。このため、特許文献１に記載の発明を適用した粉体容器は製造コストの高騰は避けられない。
【００１２】
また、特許文献２や特許文献３に記載の発明は、粉体容器に擦り切り性を付与するための細工をオーバキャップに施しているが、オーバキャップの形状が複雑になると適用可能な樹脂材料に制約を受ける。また、成形自体も難しくなるため、歩留まりが悪化する。特許文献２や特許文献３に記載の発明を適用した粉体容器は、製造コストの高騰は避けられない。
【００１３】
このように、従来は、製造が容易で擦り切り性を備えた粉体容器は提供されていなかった。
【００１４】
本発明は係る問題に鑑みてなされたものであり、製造が容易で粉体容器に擦り切り性を付与できる粉体容器用の蓋材及びこれを備えた粉体容器を提供することを目的とする。
【課題を解決するための手段】
【００１５】
上記目的を達成するため、本発明は、第１の態様として、容器本体の開口の周縁部にヒートシールされて該開口を塞ぎ、ヒートシールされている部分の所定の位置が所定の開口方向へめくり上げられた際に開口を部分的に露出させる粉体容器用の蓋材であって、開口の周縁部にヒートシールされる接着層を最下層に有する積層構造体で形成され、かつ、接着層から裏ハーフカットが、開口方向と交差するように形成されていることを特徴とする粉体容器用の蓋材を提供するものである。
【００１６】
上記本発明の第１の態様においては、裏ハーフカットは、開口方向と直交するように形成されていることが好ましい。また、積層構造体は、ガスバリア性と遮光性とを備えていることが好ましく、これに加えて、裏ハーフカットは、積層構造体にガスバリア性を発現させるガスバリア層及び積層構造体に遮光性を発現させる遮光層を貫通していないことが好ましい。
【００１７】
また、上記目的を達成するため、本発明は、第２の態様として、容器本体の開口の周縁部にヒートシールされて該開口を塞ぎ、ヒートシールされている部分の所定の位置が所定の開口方向へめくり上げられた際に開口を部分的に露出させる粉体容器用の蓋材であって、開口の周縁部にヒートシールされる接着層を最下層に有する積層構造体で形成され、かつ、所定の位置と隣接して、接着層から裏ハーフカットが、開口方向と略平行に形成されており、かつ、裏ハーフカットと所定の間隔を空けて、表ハーフカットが該裏ハーフカットと略平行に形成されていることを特徴とする粉体容器用の蓋材を提供するものである。
【００１８】
上記本発明の第２の態様においては、表ハーフカット及び裏ハーフカットは、所定の位置を含まない方へ凸となる弧状にそれぞれ形成されていることが好ましい。
【００１９】
また、上記目的を達成するため、本発明は、第３の態様として、容器本体の開口の周縁部にヒートシールされて該開口を塞ぎ、ヒートシールされている部分の所定の位置が所定の開口方向へめくり上げられた際に開口を部分的に露出させる粉体容器用の蓋材であって、開口の周縁部にヒートシールされる接着層を最下層に有する積層構造体で形成され、かつ、所定の位置を挟む２箇所から周縁部に略沿って表ハーフカットが形成されており、かつ、表ハーフカットの内側の領域には、閉曲線状の裏ハーフカットが少なくとも一つ、表ハーフカットと接することなく形成されていることを特徴とする粉体容器用の蓋材を提供するものである。
【００２０】
上記本発明の第３の態様においては、裏ハーフカットは、閉曲線が内側に凸となる部分を含まないように形成されていることが好ましい。また、表ハーフカットは、互いにつながって開口よりも小さい略閉曲線を呈していることが好ましい。
【００２１】
上記本発明の第２の態様又は第３の態様のいずれの構成においても、積層構造体は、ガスバリア性と遮光性とを備えていることが好ましい。
【００２２】
また、上記目的を達成するため、本発明は、第４の態様として、容器本体の開口が、上記本発明の第１の態様、第２の態様又は第３の態様のいずれかの構成に係る粉体容器用の蓋材でヒートシールされたことを特徴とする粉体容器を提供するものである。
【００２３】
また、上記目的を達成するため、本発明は、第５の態様として、オーバキャップとトップシールと容器本体とからなる粉体容器であって、トップシールは請求項１から９のいずれか１項記載の粉体容器用の蓋材であることを特徴とする粉体容器を提供するものである。
【発明の効果】
【００２４】
本発明によれば、オーバキャップではなく、容器の周縁部に接着されている蓋材（トップシール）に擦り切り性を付与するため、製造が容易で粉体容器に擦り切り性を付与できる粉体容器用の蓋材及びこれを備えた粉体容器を提供できる。また、トップシールにのみ擦り切り性機能の付与をするため、オーバキャップや容器の形状、樹脂選択の幅が広がる。
【発明を実施するための最良の形態】
【００２５】
〔発明の主旨〕
本発明においては、好ましい態様としてはガスバリア性と遮光性とを備えた積層構造体を用いて蓋材を形成する。蓋材には少なくとも裏ハーフカットを設け、図１７に示した従来構造と同様に、容器本体９０の開口部９１を塞ぐように接着（ヒートシール）する。
そして、蓋材の一部を容器本体９０から剥離させることにより、容器本体９０の開口部９１を露出させるとともに、裏ハーフカットを利用して蓋材に擦り切り部を形成する。
【００２６】
このような構成とすることにより、容器本体９０の開口部９１を塞ぐ蓋材を剥離させるだけで、粉体容器に擦り切り性を付与することが可能となる。また、ラミネートで形成した積層構造体の所定の位置にハーフカットを形成し、開口部９１の大きさ及び形状に合わせて切断するだけで製造できるので、容易に製造可能である。
なお、容器本体９０の形状及び材料や開口部９１の形状は、特に限定されることはない。
【００２７】
以下、上記本発明の好適な実施の形態について詳細に説明する。
【００２８】
〔第１の実施形態〕
本発明を好適に実施した第１の実施形態について説明する。
図１に、本実施形態において蓋材の材料として用いる積層構造体の構成を示す。この積層構造体は粉体容器外側となる側から順に印刷層１１、バリア層１２、基材層１３、基材コート層１４及び接着層１５が積層された構造である。なお、以下の説明においては、容器の外側となる方向を“上”、内側となる方向を“下”と定義する。
【００２９】
印刷保護層１１は、最も外に（上に）位置し、模様などが印刷されるとともに、これよりも下に位置する各層を保護するための層である。印刷保護層１１にはポリエチレンテレフタレート（ＰＥＴ）フィルムを適用できる。バリア層１２は、光やガスが積層構造体を通過できないようにするための層である。バリア層１２には、アルミ箔を適用できる。基材層１３は、積層構造体に所望の剛性を持たせるための層であり、紙、ＰＥＴ、ポリエチレン（ＰＥ）、ポリプロピレン（ＰＰ）などの材料を適用可能である。基材コート層１４は、容器内の粉体が基材層１３と接しないようにするための層である。基材コート層１４にはアルミ箔を適用できる。接着層１５は、積層構造物を容器本体の開口部に接着するための層であり、公知のシーラント材を適用可能である。
接着層１５を除く各層は、公知のドライラミネート法、又は、ＰＥ等の押し出しサンドラミネート法によって積層する。接着層１５は、公知のシーラント材を押し出しラミネートすることによって積層する。ただし、シーラントフィルムを用いれば、接着層１５もドライラミネートで積層できる。
【００３０】
各層の材料及び寸法の一例を示すと、印刷保護層１１の材料をＰＥＴ、バリア層１２の材料をアルミ箔、基材層１３の材料を坪量５０〜２１０ｇ／ｍ2（好ましくは１１０ｇ／ｍ2）の紙、基材コート層１４の材料をアルミ箔、接着層１５の材料を公知のシーラント材とする場合、印刷保護層１１の厚みは１２μｍ、バリア層１２の厚みは７μｍ、基材層１３の厚みは１１０μｍ、基材コート層１４の厚みは７μｍ、接着層１５の厚みは１５〜５０μｍ（好ましくは２５μｍ）である。ただし、上記の各層の厚みは一例であって、これらの寸法に限定されることはない。
【００３１】
図２に、蓋材５０の構成を示す。蓋材５０は、容器本体９０の開口部９１と略同一形状で、開口部９１よりも若干大きい。図３に示すように、蓋材５０の周縁部は、開口部９１の周縁部（すなわち、フランジ部）に接着される。蓋材５０の周縁部の所定の位置には、開口部９１からはみ出すようにタブ５１が形成されている。また、蓋材５０の保護及び粉体容器の再封性のために、蓋材５０の上にはオーバキャップ１１０が着脱自在に取り付けられる。
【００３２】
蓋材５０には、その周縁部の２箇所を結ぶように裏ハーフカット１７が形成されている。接着層１５側から形成する裏ハーフカット１７は、図１に示すように、基材層１３まで達する。裏ハーフカット１７を形成しても、バリア層１２は無傷で残るため、蓋材５０の遮光性及びガスバリア性は損なわれない。
【００３３】
蓋材５０を開封する際には、図３に示すように、タブ５１を保持して所定の方向（開口方向）へめくりあげる。これにより、タブ５１の近傍では蓋材５０が容器本体９０から剥離する。そのまま開口方向へ力を加え続け、蓋材５０の剥離が裏ハーフカット１７まで達すると、図４に示すように蓋材５０は裏ハーフカット１７に沿って折れ曲がり、この部分が擦り切り部となる。
【００３４】
裏ハーフカット１７に沿って折れ曲がった蓋材５０は、積層構造体を２枚重ね合わせたのと同じ状態となるため、擦り切り部の剛性は蓋材５０よりも高くなり、粉体を良好に擦り切れる。
【００３５】
このように、本実施形態に係る蓋材５０は、製造が容易である上に、粉体容器に擦り切り性を付与することが可能である。
【００３６】
〔第２の実施形態〕
本発明を好適に実施した第２の実施形態について説明する。
図５に、本実施形態において蓋材の材料として用いる積層構造体の構成を示す。この積層構造体は、粉体容器外側となる側から順に印刷保護層２１、剥離樹脂層２２、バリア層２３、基材層２４及びシーラント層２５が積層された構造である。
【００３７】
印刷保護層２１は、第１の実施形態における印刷保護層１１と同様である。剥離樹脂層２２は、印刷保護層２１とバリア層２３との剥離強度を所望の値に調整するための層である。バリア層２３、基材層２４及び接着層２５は、第１の実施形態におけるバリア層１２、基材層１３及び接着層１５とそれぞれ同様である。また、必要に応じて印刷保護層２１と剥離樹脂層２２との間に接着（樹脂）層２２’として剥離樹脂層２２と同系統の樹脂フィルム（剥離樹脂層２２がポリオレフィン樹脂であるなら、ＬＤＰＥ、ＬＬＤＰＥフィルムやＣＰＰフィルム等）を積層させて印刷保護層２１と剥離樹脂層２２との接着を向上させるとよい。
【００３８】
各層の材料及び寸法の一例を示すと、印刷保護層２１の材料をＰＥＴ、剥離樹脂層２２の材料をＬＤＰＥ＋環状オレフィンコポリマー、バリア層２３の材料をアルミ箔、基材層２４の材料を坪量５０〜２１０ｇ／ｍ2（好ましくは１１０ｇ／ｍ2）の紙、接着層２５の材料を公知のシーラント材とする場合、印刷保護層２１の厚みは１２μｍ、剥離樹脂層２２の厚みは１５〜５０μｍ（好ましくは２０〜４０μｍ）、バリア層２３の厚みは７μｍ、基材層２４の厚みは１１０μｍ、接着層２５の厚みは１５〜５０μｍ（好ましくは２５μｍ）である。ただし、上記の各層の厚みは一例であって、これらの寸法に限定されることはない。
【００３９】
積層構造体の製造方法について説明する。まず、バリア層２３と基材層２４とをドライラミネート又はサンドラミネートする。次に、印刷保護層２１と接着（樹脂）層２２’とをドライラミネート又はサンドラミネートする。その後、接着（樹脂）層２２’とバリア層２３との間に剥離樹脂を流し込んで、バリア層２３及び基材層２４と印刷保護層２１及び接着（樹脂）層２２’とを押し出しサンドラミネートすることにより剥離樹脂層２２を形成する。最後に基材層２４のバリア層２３とは反対側の面にシーラント材を押し出しラミネートして接着層２５を形成する。なお、シーラントフィルムを用いてドライラミネートで接着層２５を形成しても良い。
【００４０】
蓋材６０の材料として用いるのに特に好ましい積層構造体について説明する。
印刷保護層２１は、寸法安定性、耐熱性、機械的強度、印刷適正などを考慮して、ポリエチレンテレフタレート（ＰＥＴ）、二軸延伸ポリプロピレン（ＯＰＰ）、ナイロン（Ｎｙ）を用いて形成する。印刷保護層２１は、ドライラミネートや押出ラミネート等の接着方法で、後述する接着（樹脂）層２２’と合わせて表面層を形成する。
【００４１】
印刷保護層２１の片面側に形成され、剥離樹脂層２２と接着する接着（樹脂）層２２’は、ポリエチレン（ＰＥ）、ポリプロピレン（ＰＰ）等のポリオレフィンを材料とする。なお、材料としては、剥離樹脂層２２との接着強度を確保するため、剥離樹脂層２２に使用する樹脂と同一系のものがよい。具体的には剥離樹脂層２２の材料として環状オレフィンコポリマーとポリエチレン系樹脂との混合物を用いる場合は、接着（樹脂）層２２’としてポリエチレン系樹脂を用い、剥離樹脂層２２の材料として環状オレフィンコポリマーとポリプロピレン系樹脂との混合物を使用する場合は、接着（樹脂）層２２’としてポリプロピレン系樹脂を用いると、接着（樹脂）層２２’と剥離樹脂層２２とを十分な接着強度で積層できる。また、接着（樹脂）層２２’は、上記の接着（樹脂）層２２’と剥離樹脂層２２との十分な接着強度を得る他にも、剥離性樹脂に混合する環状オレフィンコポリマーが有する縦裂き性を抑制して、剥離する際の縦裂きを防止する役割を有する。
【００４２】
バリア層２３は、アルミニウム、鉄、銅、これらを主成分とする合金等の金属箔又は金属板を用いる。バリア層２３は、表面粗さ（Ｒａ）が０．４０μｍ以下であることが好ましい。更に好ましくは、表面粗さ（Ｒａ）が０．４０μｍ以下のアルミニウム箔を用いることが望ましい。
【００４３】
剥離樹脂層２２は、印刷保護層２１及び接着（樹脂）層２２’からなる表面層と、バリア層２３とを押出しラミネートする際に、表面層と、バリア層２３との間に流し込まれる樹脂によって形成される層である。剥離樹脂層２２の厚さは、安定したピール性を得るために２０μｍ〜４０μｍが好ましい。
【００４４】
剥離樹脂層２２は、ポリオレフィンに環状オレフィンコポリマー（ＣＯＣ）を所定の比率で混合した樹脂を用いて形成する。ポリオレフィンとしては、ポリエチレン樹脂、ポリプロピレン樹脂等が挙げられるが、低密度ポリエチレン（ＬＤＰＥ）を用いるのが好ましい。ここで、ＣＯＣとは、α−オレフィンと環状オレフィンとを、ヘキサン、ヘプタン、オクタン、シクロヘキサン、ベンゼン、トルエン、キシレンなどの炭化水素系溶媒中、いわゆるチーグラー触媒やメタロセン触媒等の触媒を調合することにより得ることができる共重合体であり、このような共重合体としては、三井化学社製の商品名「アペル」等がある。
なお、ポリオレフィンと環状オレフィンコポリマーとの混合比において、蓋材に適用する上で好ましい比率は、全体を１００重量部とした場合、ポリオレフィンが９９〜５０重量部に対して環状オレフィンコポリマーが１〜５０重量部、特に、ポリオレフィンが９５〜７５重量部に対して環状オレフィンコポリマーが５〜３０重量部である。
【００４５】
上記各材料を用いて形成した積層構造体は蓋材６０の材料として好適である。この構造の積層構造体を用いることの利点については後段で説明する。
【００４６】
図６に、蓋材６０の構成を示す。蓋材６０は、容器本体の開口部と略同一形状で、容器本体の開口部よりも若干大きい。図７に示すように、蓋材６０の周縁部は、容器本体の開口部の周縁部（すなわち、フランジ部）に接着される。蓋材６０の周縁部の所定の位置には、容器本体の開口部からはみ出すようにタブ６１が形成されている。また、蓋材６０の保護及び粉体容器の再封性のために、蓋材６０の上にはオーバキャップ１１０が着脱自在に取り付けられる。
【００４７】
蓋材６０には、その周縁部の２箇所を結ぶように裏ハーフカット２７及び表ハーフカット２８が形成されている。すなわち、蓋材６０は、裏ハーフカット２７及び表ハーフカット２８を境界として、タブ６１が設けられている側の領域（タブ有り領域）とタブ６１が設けられていない側の領域（タブ無し領域）と、裏ハーフカット２７と表ハーフカット２８とに挟まれた領域（中間領域）とに分けられる。なお、裏ハーフカット２７と表ハーフカット２８とは、互いに接しないように所定の間隔（少なくとも０．５ｍｍ）を空けて形成されている。
【００４８】
図５に示すように、接着層２５側から形成される裏ハーフカット２７は、少なくとも剥離樹脂層２２まで達する。一方、印刷保護層２１側から形成される表ハーフカット２８は、少なくとも樹脂層２２とバリア層２３との界面まで達する。
裏ハーフカット２７はバリア層２３を貫通するため、高いガスバリア性が要求される場合には、印刷保護層２１はガスバリア性を有する材料で形成することが好ましい。例えば、ＰＥＴフィルムなどの樹脂フィルムを好適に適用可能である。ただし、ガスバリア性が不要であれば（収容する粉体が活性に乏しいのであれば）、印刷保護層２１の材料の種類は問わない。一方、表ハーフカット２８は、ガスバリア性の観点からみれば、バリア層２３を貫通しないことが好ましい。
【００４９】
粉体容器を開封する際には、図７に示すように、タブ６１を保持して所定の方向（開口方向）へめくりあげる。これにより、タブ有り領域では、タブ６１を起点として積層構造体全体が容器本体９０から剥離する。
蓋材６０が容器本体から剥離し始めると、中間領域の積層構造体には、上下方向への張力が作用する。接着（樹脂）層２２’と剥離樹脂層２２との剥離強度は、１０Ｎ以上となっているため、中間領域の積層構造体は、剥離樹脂層２２とバリア層２３との間で剥離する。すなわち、中間領域では、上部層（印刷保護層＋接着（樹脂）層２２’）のみが剥離し、バリア層２３よりも下側の層（下部層）は残存する。
また、タブ無し領域では、蓋材６０は剥離せず積層構造体全体が残る。
【００５０】
そのまま開口方向へ力を加え続け、蓋材６０の剥離が裏ハーフカット２７及び表ハーフカット２８の末端まで達すると、図８に示すように蓋材６０は裏ハーフカット２７及び裏ハーフカット２８を境にして分裂する。容器本体９０側に残ったタブ無し領域の蓋材６０には裏ハーフカット２７に沿って擦り切り部６３が形成される。
【００５１】
なお、図９に示すように、粉体容器に残る側の蓋材６０が凹となるように裏ハーフカット２８を弧状に形成すると、擦り切り部６３の剛性が増し、擦り切り性が向上する。
【００５２】
このように、本実施形態に係る蓋材６０は、製造が容易である上に、粉体容器に擦り切り性を付与することが可能である。
【００５３】
なお、先に説明した積層構造体を用いて蓋材６０を形成すれば、剥離によって露出する層の一方はアルミであり、他方は剥離性樹脂であり、剥離の形態は界面剥離となる。このため、剥離の際に紙粉やドライラミネート用の接着剤などの異物が容器内の粉体に混入することがない。
【００５４】
〔第３の実施形態〕
本発明を好適に実施した第３の実施形態について説明する。本実施形態において蓋材の材料として用いる積層構造体は第２の実施形態のものと同様である。
【００５５】
図１０に、本実施形態にかかる蓋材７０の構成を示す。蓋材７０は、容器本体９０の開口部９１と略同一形状で、開口部９１よりも若干大きい。図１１に示すように、蓋材７０の周縁部は、開口部９１の周縁部（すなわち、フランジ部）に接着される。蓋材７０の周縁部の所定の位置には、開口部９１からはみ出すようにタブ７１が形成されている。また、蓋材７０の保護及び粉体容器の再封性のために、蓋材７０の上にはオーバキャップ１１０が着脱自在に取り付けられる。
【００５６】
蓋材７０には、開口部９１よりも小さい閉曲線を描くように表ハーフカット３８が形成されている。ただし、表ハーフカット３８は完全には閉じておらず、両端部はタブ７１の両脇にそれぞれ位置している。
また、表ハーフカット３８で囲まれた領域には、閉曲線状に裏ハーフカット３７が形成されている。さらに、タブ７１の付け根の部分には、容器本体９０のフランジ部の外側に沿って裏ハーフカット３９が表ハーフカット３８同士を結ぶように形成されている。
これにより、蓋材７０は、表ハーフカット３８よりも外側の領域（外縁領域）と、表ハーフカット３８と裏ハーフカット３７との間の領域（中間領域）と裏ハーフカット３７に囲まれた領域（中抜き領域）とに分けられる。
なお、裏ハーフカット３７と表ハーフカット３８とは、互いに接しないように所定の間隔（少なくとも０．５ｍｍ）を空けて形成されている。
【００５７】
粉体容器を開封する際には、図１１に示すように、タブ７１を保持して所定の方向（開口方向）へめくりあげる。これにより、タブ７１の近傍で蓋材７０は、裏ハーフカット３９を起点として、剥離樹脂層２２とバリア層２３との間で剥離し始める。この時、外縁領域の蓋材７０は、積層構造体全体が剥離せずに残る。一方、中間領域の蓋材７０は、上部層（印刷保護層２１＋接着（樹脂）層２２’）のみが剥離して、バリア層２３よりも下側の層（下部層）は剥離せずに粉体容器側に残る。タブ７１をさらに開口方向へめくりあげ、上部層の剥離が裏ハーフカット３７まで達すると、中抜き領域の蓋材７０は積層構造体全体が剥離する。
【００５８】
粉体容器を開封すると、図１２に示すように、露出した下部層には裏ハーフカット３７で囲まれた部分に対応する形状の開口が形成される。この開口は容器本体９０の開口部９１よりも小さく、その周縁には下部層が残存しているため、これを擦り切り機能部として利用することで、粉体容器に擦り切り性を付与できる。
【００５９】
また、図１２のように剥がしかけ（容器内側となる面（すなわち接着層）が外部に露出した状態）の蓋材が容器本体の開口部に残存していると、蓋材の剛性が保たれるため擦り切り機能部の強度が向上する。また、下部層に形成された開口を再度塞ぐことも可能である。また、図１３に示すように、表ハーフカット３８で囲まれた部分を全てはぎ取ってももちろん構わない。
【００６０】
なお、図１４に示すように裏ハーフカット３７に屈曲する箇所があると、下部層に形成される開口にも屈曲部が存在することとなる。下部層に形成される開口に屈曲部があると、粉体をすり切る際に発生する応力が、切り欠き効果によって屈曲部に集中して下部層が破損されやすくなる。よって、裏ハーフカット３７は、屈曲する部分が存在しないように形成することが好ましい。
【００６１】
また、下部層に形成される開口の周縁に残存する下部層は、開口の内側に突出していると、その部分は片持ちで支持される状態となるため、擦り切り性が低下する。よって、下部層に形成される開口は、周縁の下部層が開口の内側に突出していないことが好ましい。すなわち、図１５に示すように、擦り切り部となる部分では、開口は外側に凸となる形状であることが好ましい。
【００６２】
第２の実施形態においては、粉体容器の開封時には、粉体容器の開口部の周縁で蓋材６０を粉体容器から剥離させる必要がある。このため、粉体容器と接着層２５との接着強度を中間領域の剥離抵抗と同程度に調整しておくことが好ましく、調整を行わないとタブ有り領域の蓋材６０を剥離抵抗が開口方向に対して左右不均一となり、剥離させにくくなってしまう。
これに対し、本実施形態においては、下部層に開口を形成することによって粉体容器が開封されるが、下部層に形成される開口の周縁は、どの部分も中間領域であるため、接着層２５と粉体容器との接着強度を調整する必要はない。
【００６３】
なお、第２の実施形態と同様に、先に説明した積層構造体を用いて蓋材６０を形成すれば、剥離によって露出する層の一方はアルミであり、他方は剥離性樹脂であり、剥離の形態は界面剥離となる。このため、剥離の際に紙粉やドライラミネート用の接着剤などの異物が容器内の粉体に混入することがない。
【００６４】
なお、上記実施形態は本発明の好適な実施の一例であり、本発明はこれらに限定されることはない。
例えば、上記各実施形態で例示した積層構造体は、蓋材の材料の一例であり、これらと異なる構造の積層構造体を用いても構わない。
また、第２の実施形態及び第３の実施形態においては、上部層と下部層とに分離可能な構成の積層構造体を用いたが、上部層と下部層との剥離の形態は、界面剥離、凝集剥離及び層間剥離のいずれであっても良い。
また、第２の実施形態及び第３の実施形態においては、上部層と下部層との間に剥離樹脂層を設けることによって、中間領域では積層構造体が上部層と下部層との間で剥離するようにしたが、図１５に示すように、上部層と下部層との界面に非接着材料（シリコンを添加した硝化綿系樹脂など）を付設（グラビア印刷、オフセット印刷、フレキソ印刷などによる）すれば、一般的な樹脂を用いて上部層と下部層とを接着しても上記同様の効果が得られる。
このように本発明は様々な変形が可能である。
【図面の簡単な説明】
【００６５】
【図１】本発明を好適に実施した第１の実施形態に係る蓋材の材料となる積層構造体の構成を示す図である。
【図２】第１の実施形態に係る蓋材の構成を示す図である。
【図３】第１の実施形態にかかる蓋材を備えた粉体容器の開封時の動作を示す図である。
【図４】第１の実施形態に係る蓋材に擦り切り部が形成された状態を示す図である。
【図５】本発明を好適に実施した第２の実施形態に係る蓋材の材料となる積層構造体の構成を示す図ある。
【図６】第２の実施形態に係る蓋材の構成を示す図である。
【図７】第２の実施形態に係る蓋材を備えた粉体容器の開封時の動作を示す図である。
【図８】第２の実施形態に係る蓋材に擦り切り部が形成された状態を示す図である。
【図９】第２の実施形態に係る蓋材の変形構成例を示す図である。
【図１０】本発明を好適に実施した第３の実施形態に係る蓋材の構成を示す図である。
【図１１】第３の実施形態に係る蓋材を備えた粉体容器の開封時の動作を示す図である。
【図１２】第３の実施形態に係る蓋材に擦り切り部が形成された状態を示す図である。
【図１３】第３の実施形態に係る蓋材に擦り切り部が形成された別の状態を示す図である。
【図１４】蓋材に形成された開口の周縁に応力集中による亀裂が生じた状態を示す図である。
【図１５】第３の実施形態に係る蓋材の変形構成例を示す図である。
【図１６】第２の実施形態及び第３の実施形態に係る蓋材の材料となる積層構造体の別の構成例を示す図である。
【図１７】従来の粉体容器の構成を示す図である。
【符号の説明】
【００６６】
１１、２１    印刷保護層
１２、２３    バリア層
１３、２４    基材層
１４    基材コート層
１５、２５    接着層
２２    剥離樹脂層
２２’    接着（樹脂）層
１７、２７、３７、３９    裏ハーフカット
２８    表ハーフカット
５０、６０、７０、１００    蓋材
５１、６１、７１    タブ
９０    容器本体
１１０    オーバキャップ
【図１】
2006123971.tif 000003
【図２】
2006123971.tif 000004
【図３】
2006123971.tif 000005
【図４】
2006123971.tif 000006
【図５】
2006123971.tif 000007
【図６】
2006123971.tif 000008
【図７】
2006123971.tif 000009
【図８】
2006123971.tif 000010
【図９】
2006123971.tif 000011
【図１０】
2006123971.tif 000012
【図１１】
2006123971.tif 000013
【図１２】
2006123971.tif 000014
【図１３】
2006123971.tif 000015
【図１４】
2006123971.tif 000016
【図１５】
2006123971.tif 000017
【図１６】
2006123971.tif 000018
【図１７】
2006123971.tif 000019